(57)【要約】【課題】発電電圧が大きくなっても、界磁電流の上限を設定電圧における最大界磁電流に制限する車両用交流発電機の制御装置を得る。【解決手段】交流発電機における電機子コイル１の交流出力電圧を整流器３で整流して得た直流電圧を界磁コイル２に印加して界磁電流を得ると共に、界磁電流を界磁コイル２に直列に接続したスイッチング素子１１のオン・オフにより制御する車両用交流発電機の制御装置において、スイッチング素子１１のオンデューティの上限を、設定電圧／直流電圧とする上限制限手段を備えたものである。【選択図】図２
2011229332.tif 000002
【特許請求の範囲】
【請求項１】
電機子コイルと界磁コイルを有する交流発電機における前記電機子コイルの交流出力電圧を整流器で整流して得た直流電圧を、
前記界磁コイルに印加して界磁電流を得ると共に、界磁電流を前記界磁コイルに直列に接続したスイッチング素子のオン・オフにより制御する車両用交流発電機の制御装置において、
前記スイッチング素子のオンデューティの上限を、設定電圧／前記直流電圧とする上限制限手段を備えたことを特徴とする車両用交流発電機の制御装置。
【請求項２】
発電指令による前記スイッチング素子のオンデューティと、前記上限制限手段による前記スイッチング素子の上限オンデューティとを比較して、その小さい方のオンデューティで前記スイッチング素子のオン・オフを制御する請求項１記載の車両用交流発電機の制御装置。
【請求項３】
交流出力電圧を前記整流器で整流して得た直流電圧が、前記設定電圧より大きい第２設定電圧を超えたとき、前記スイッチング素子のオンデューティをゼロに制御する請求項１又は請求項２記載の車両用交流発電機の制御装置。
【請求項４】
前記交流発電機の温度を検出し、検出した発電機温度が設定温度を超えたとき、前記スイッチング素子のオンデューティをゼロに制御する請求項１〜請求項３のいずれか１項に記載の車両用交流発電機の制御装置。
【請求項５】
前記交流発電機の回転速度を検出し、前記直流電圧／前記回転速度が設定値以上のとき、前記スイッチング素子のオンデューティをゼロに制御する請求項１〜請求項４のいずれか１項に記載の車両用交流発電機の制御装置。
【発明の詳細な説明】
【技術分野】
【０００１】
この発明は、車両用交流発電機の制御装置に関し、特に界磁コイルに流れる界磁電流の上限を制限するものに係わる。
【背景技術】
【０００２】
従来（特許文献１）の車両用交流発電機の制御装置においては、界磁コイルに流れる界磁電流値が、界磁コイルに直列抵抗を接続して、その両端の電圧より検出されている。そして、界磁電流が所定値を超えると界磁電流を遮断している。
【先行技術文献】
【特許文献】
【０００３】
【特許文献１】特開平３−４５２００号公報
【発明の概要】
【発明が解決しようとする課題】
【０００４】
しかしながら、界磁コイルに直列抵抗を接続し、その抵抗の両端の電圧を検出し、界磁電流値を検出する方式では、抵抗の抵抗値が大きいとその抵抗での損失が大きくなり、かつ、抵抗による電圧降下により界磁コイルに充分な電圧が加えられないため、非常に小さい抵抗値の抵抗が用いられる。しかし、非常に小さい抵抗値の精度を確保するのは困難であり、また抵抗値が小さいので検出される電圧は微小なものになる。微小な電圧から電流を精度良く検出するには、検出回路の精度も必要となり、精度が高い電流センサが必要となり、高価なものになってしまう。
【０００５】
また、界磁電流を制限しないと、自励式交流発電機の発電電圧が高くなったとき、界磁コイルに過大な電流が流れ、界磁コイルの焼損、あるいは、発電出力も過大になり交流発電機の焼損を起こす恐れがある。
この発明は、上述のような課題を解決するためになされたもので、発電電圧が大きくなっても、界磁電流の上限を設定電圧における最大界磁電流に制限することを目的とするものである。
【課題を解決するための手段】
【０００６】
この発明に係わる車両用交流発電機の制御装置は、電機子コイルと界磁コイルを有する交流発電機における前記電機子コイルの交流出力電圧を整流器で整流して得た直流電圧を、前記界磁コイルに印加して界磁電流を得ると共に、界磁電流を前記界磁コイルに直列に接続したスイッチング素子のオン・オフにより制御する車両用交流発電機の制御装置において、前記スイッチング素子のオンデューティの上限を、設定電圧／前記直流電圧とする上限制限手段を備えたものである。
【０００７】
また、この発明に係わる車両用交流発電機の制御装置は、発電指令によるスイッチング素子のオンデューティと、前記上限制限手段によるスイッチング素子のオンデューティとを比較して、その小さい方のオンデューティでスイッチング素子のオン・オフを制御するものである。
【発明の効果】
【０００８】
この発明の車両用交流発電機の制御装置によれば、発電電圧が大きくなっても、界磁電流の上限を設定電圧における最大界磁電流に制限することができる。
また、発電指令によるオンデューティと、前記上限制限手段によるオンデューティとを比較して、その小さい方のオンデューティでスイッチング素子のオン・オフを制御するので、無理な発電指令がきたとしても、前記上限制限手段によるオンデューティとの比較で、安全な制御が可能となり、発電機の過熱や過電圧を防止できる。
【図面の簡単な説明】
【０００９】
【図１】この発明の実施の形態１を適用する車両用交流発電機を示す構成図である。
【図２】実施の形態１の車両用交流発電機の制御装置を示すブロック図である。
【図３】実施の形態１における発電指令入力手段のブロック構成を説明する図である。
【図４】実施の形態１において界磁電流の上限を制限する上限制限手段のブロック構成を説明する図である。
【図５】実施の形態１における過出力電圧を抑制する過電圧抑制手段のブロック構成を説明する図である。
【図６】実施の形態１における過熱を防止する過熱防止手段のブロック構成を説明する図である。
【図７】実施の形態１における不要な界磁電流を遮断する界磁電流遮断手段のブロック構成を説明する図である。
【図８】実施の形態１における最小値選択器のブロック構成を説明する図である。
【発明を実施するための形態】
【００１０】
実施の形態１．
図１はこの発明の実施の形態１を適用する車両用交流発電機を示す構成図である。図２は実施の形態１の車両用交流発電機の制御装置９を示すブロック図で、図１のｅ，ｆ，ｇ端子と図２のｅ，ｆ，ｇ端子を接続することにより、車両用交流発電機装置１０の全体を示すものである。図１において、図示しない内燃機関が始動すると、図示しないベルトを介して交流発電機（以下発電機と称す）の（界磁コイル２を有する）回転子が駆動される。界磁コイル２はスリップリングとブラシ５を介して端子ｆ，ｇに接続されている。回転子の駆動に伴って、（固定子側の）三相の電機子コイル１で発電された交流出力電圧は、３相全波の整流器３で整流される。電機子コイル１と界磁コイル２と整流器３で発電機を構成している。
【００１１】
整流器３で整流された直流電圧（直流出力電圧）は、整流器３に接続された電気二重層コンデンサ４に充電される。充電されることにより、電気二重層コンデンサ４の端子電圧は上昇する。電気二重層コンデンサ４には電圧変換器（DCDCコンバータ）６が接続され、電気二重層コンデンサ４の電圧を１４Vに変換してバッテリ８を充電し、その他の車両の電気負荷７に１４Vの電力を供給する。
【００１２】
図２において、１１はスイッチング素子で、例えば、ＭＯＳＦＥＴで構成されるパワー用半導体スイッチング素子である。スイッチング素子１１は界磁コイル２と直列に接続される。スイッチング素子１１と界磁コイル２の直列体には、直流電圧又は電気二重層コンデンサ４の直流電圧が印加され、スイッチング素子１１をオン・オフ制御することにより、界磁コイル２の界磁電流が制御される。１２は還流ダイオードで、スイッチング素子１１がオフされたときに、界磁コイル２に残留したエネルギーによる界磁電流が還流ダイオード１２を通って還流する。抵抗１４と抵抗１５には、発電機の整流器３の直流電圧又は電気二重層コンデンサ４の直流電圧が印加され、抵抗１４と抵抗１５の接続点より、その分圧電圧ＶＢ／αが導出される。但し、ＶＢは整流器３の直流電圧又は電気二重層コンデンサ４の直流電圧、αは分圧比である。その分圧電圧ＶＢ／αが乗算器Ｍ１でαが掛け算され、直流電圧ＶＢが出力される。直流電圧ＶＢは外部（ＥＣＵ）にも出力される。
【００１３】
以下に、図２におけるスイッチング素子１１のオン・オフ制御のブロック構成と動作について説明する。ＥＣＵ（Engine Control Unit）からの発電指令は、スイッチング素子１１のオンデューティ（スイッチング素子１１がオンする通電率）を指示するものとして入力される。図３は実施の形態１における発電指令入力手段のブロック構成を説明する図である。ＥＣＵから発電指令であるパルス列がＴｉｍｅｒＴ１に入力される。ＴｉｍｅｒＴ１では、入力されたパルス列（ＰＷＭ信号）のオン時間と周期を求め、この出力を除算器Ｄ１に入力し、発電指令に基づくスイッチング素子１１のオンデューティを出力する。なお、ＥＣＵから発電指令として、直接に、スイッチング素子１１のオンデューティを出力するようなＰＷＭ信号，アナログ信号，又はデジタル信号などであってもよい。そして、除算器Ｄ１又はＥＣＵからのスイッチング素子１１のオンデューティが総合選択器２０の最小値選択器Ｍｉｎ７に入力される。なお、総合選択器２０の動作は後述する。
【００１４】
最小値選択器Ｍｉｎ７の出力として発電指令に基づくスイッチング素子１１のオンデューティが選択されると、そのオンデューティが、駆動回路（ドライバ）２１から出力され、スイッチング素子１１がそのオンデューティでオン・オフ制御（ＰＷＭ制御）される。すると、電気二重層コンデンサ４から界磁電流が供給され、発電機は発電を開始して、整流器３で整流された直流電圧が電気二重層コンデンサ４に充電される。電気二重層コンデンサ４は充電されると電圧が上昇する。したがって、オンデューティが一定値であると、界磁コイル２に加えられる平均電圧が上昇し、界磁電流が増加する。電圧が上昇すると、ＥＣＵからの発電指令は直流電圧を制限するように、スイッチング素子１１のオンデューティを小さくする。
【００１５】
次に、図４は実施の形態１において、界磁電流の上限を設定電圧における最大界磁電流に制限する上限制限手段のブロック構成を説明する図である。乗算器Ｍ２には、所定の設定電圧ＶＲとして、バッテリ８の充電電圧、例えば１４．０Ｖが入力される。前記設定電圧ＶＲは、界磁コイル２への界磁電流がオンデューティ１００％であっても、通電持続可能な電圧値である。乗算器Ｍ２には、さらに、１００％デューティ値が入力され、乗算器Ｍ２から１００ＶＲ％が出力される。除算器Ｄ２には、前記１００ＶＲ％が入力され、さらに他方の入力として、整流器３の直流電圧（または、電気二重層コンデンサ４の直流電圧）ＶＢが入力される。除算器Ｄ２では、１００ＶＲ％／ＶＢ、つまり、設定電圧／前記直流電圧が求められ、出力される。その出力値は上下限クリップ回路Ｓ２で換算され、通電持続可能なオンデューティとして、スイッチング素子１１のオンデューティが出力される。オンデューティ出力は１００％以下に制限される。
【００１６】
上限制限手段によるスイッチング素子１１の上限オンデューティは、設定電圧／直流電圧に基づいているので、整流器３の直流電圧が大きくなっても、界磁電流の上限を設定電圧における最大界磁電流に制限することができる。総合選択器２０では、設定電圧／直流電圧に基づいて求めた（上限制限手段による）スイッチング素子１１の上限オンデューティと、発電指令によるスイッチング素子１１のオンデューティとを、最小値選択器Ｍｉｎ７に入力して比較し、その小さい方のオンデューティを、実際のオンデューティとして出力し、駆動回路２１を介して、スイッチング素子１１をオン・オフ制御する。これにより、例えば、直流電圧が２８Vとすると、最大オンデューティは１４Ｖ／２８Ｖ＝０．５となり、界磁コイルに加えられる平均電圧は、出力電圧２８V×０．５＝１４Vに制限される。したがって、発電指令より過大なオンデューティが入力されたとしても、界磁コイルには平均電圧１４Vしか加えられないので、界磁コイルの焼損や、過大な発電による発電機の焼損を防止することができる。また、電流センサを用いないため、安価に実現でき、オンデューティという時間パラメータを制御するため精度がよい。
【００１７】
図５は実施の形態１における過出力電圧を抑制する過電圧抑制手段のブロック構成を説明する図である。抑制ゲイン器ＤＥ３には、直流電圧ＶＢが入力され、さらに他の入力として、第１設定電圧ＶＳ（過電圧抑制開始電圧で、例えば、２７．５Ｖ）と第２設定電圧ＶＥ（過電圧抑制終了電圧で、例えば、２８．５Ｖ）が入力される。直流電圧ＶＢが第１設定電圧ＶＳを超え始めると、ゲインを抑制し、さらに直流電圧ＶＢが上昇するにつれて、さらにゲインを抑制し、第２設定電圧ＶＥに達したとき、ゲインをゼロにする。すると、抑制ゲイン器ＤＥ３の出力は、１であったものが、第１設定電圧ＶＳを超え始めると、１から連続的に減少（または段階的に減少）し、第２設定電圧ＶＥに達したときに、ゼロとなる。抑制ゲイン器ＤＥ３の出力を、総合選択器２０の乗算器Ｍ６で前記上限制限手段の出力である上限オンデューティに乗算することにより、直流電圧ＶＢが第１設定電圧ＶＳから第２設定電圧ＶＥまでの場合には、オンデューティを減少させることができる。
【００１８】
つまり、電気負荷７が小さい場合、前述のように制限（設定電圧／直流電圧）された上限オンデューティであっても、電気二重層コンデンサ４はさらに充電され、発電電圧が上昇する。通常は、発電指令を出す外部コントローラ(ＥＣＵ)で電気二重層コンデンサ４の電圧を検出して発電電圧が電気二重層コンデンサ４の許容電圧（第２設定電圧ＶＥ）を越えないように発電指令を制御するが、何らかの不具合により電気二重層コンデンサ４の許容電圧を超えてもさらに発電指令が来たとき、抑制ゲイン器ＤＥ３がオンデューティをゼロに制御するので、界磁電流は遮断されて発電機は無発電となり電気二重層コンデンサ４の電圧上昇を抑制して電気二重層コンデンサ４を保護する効果がある。
【００１９】
図６は実施の形態１における過熱を防止する過熱防止手段のブロック構成を説明する図である。抑制ゲイン器ＤＥ４には、発電機の温度センサ（図示せず）の発電機温度ＴＢが入力される。抑制ゲイン器ＤＥ４には、さらに他の入力として、第１設定温度ＴＳ（過熱に対して出力の抑制を開始する温度）と第２設定温度ＴＥ（過熱限界に対して出力をゼロにする温度）が入力される。発電機温度ＴＢが第１設定温度ＴＳを超え始めると、ゲインを抑制し、さらに発電機温度ＴＢが上昇するにつれて、さらにゲインを抑制し、第２設定温度ＴＥに達したとき、ゲインをゼロになる。
【００２０】
すると、抑制ゲイン器ＤＥ４の出力は、１であったものが、第１設定温度ＴＥを超え始めると、１から連続的に減少（または段階的に減少）し、第２設定温度ＴＥに達したときに、ゼロとなる。抑制ゲイン器ＤＥ４の出力を、総合選択器２０の乗算器Ｍ６で前記上限制限手段の出力である上限オンデューティに乗算することにより、発電機温度ＴＢが第１設定温度ＴＳから第２設定温度ＴＥまでの場合には、オンデューティを減少させることができる。第２設定温度ＴＥを超えるとオンデューティをゼロにするので、発電機の過熱を防止することができる。
【００２１】
図７は実施の形態１における不要な界磁電流を遮断する界磁電流遮断手段のブロック構成を説明する図である。除算器Ｄ５には、整流器３の直流電圧ＶＢ又は電気二重層コンデンサ４の直流電圧ＶＢが入力される。除算器Ｄ５には、さらに、発電機の回転速度検出器（図示せず）の回転速度Ｓが入力される。除算器Ｄ５では、直流電圧ＶＢ／回転速度Ｓを求め、比較器Ｃ５の反転入力端子に入力する。比較器Ｃ５の基準入力端子には設定値Ｒ５が入力される。直流電圧ＶＢ／回転速度Ｓが設定値Ｒ５以上の時、比較器Ｃ５の出力は、ゼロになる。比較器Ｃ５の出力を、総合選択器２０の乗算器Ｍ６で前記上限制限手段の出力である上限オンデューティに乗算することにより、直流電圧ＶＢ／回転速度Ｓが設定値Ｒ５以上の時、オンデューティをゼロにすることができる。そのため、界磁電流を遮断することできる。
【００２２】
発電機は、界磁電流を最大に流したとき、発電できる電圧が回転速度により決まってしまうので、回転速度が低いときは界磁電流を最大に流しても発電できない。したがって、発電不可能な回転速度では界磁電流を流しても界磁電流が無駄に使われてしまうので、このときは界磁電流を遮断することで、損失を低減できる。特に直流電圧が可変である交流発電機装置においては、電気二重層コンデンサ４の直流電圧により発電開始回転速度が変化するため、直流電圧／回転速度というパラメータを採用すれば、設定値と比較するだけで発電可否が判断でき、交流発電機装置が簡素化できる。ここで、発電機の回転速度検出器には、残留磁束による発電機の発電周波数を検出してもよいし、エンジン回転速度など、発電機の回転速度を推定できる他の手段を用いてもよい。
【００２３】
次に、図２の総合出力選択器２０の動作について説明する。最小値選択器Ｍｉｎ６には、過電圧抑制手段（抑制ゲイン器ＤＥ３）と過熱防止手段（抑制ゲイン器ＤＥ４）の出力が入力され、その中で、小さい方の出力が選択され、その出力が乗算器Ｍ６に入力される。図８は実施の形態１における最小値選択器のブロック構成を説明する図である。比較器C６の基準入力端子には過熱防止手段の出力ＤＥ４が入力され、比較器C６の反転入力端子には、過電圧抑制手段の出力ＤＥ３が入力され、比較器C６で両入力が比較され、ＤＥ４に比べＤＥ３が小さいときは、比較器C６より１が出力され、選択器Ｓ６よりＤＥ３が選択されて、最小値選択器Ｍｉｎ６よりＤＥ３が出力される。一方、ＤＥ４に比べＤＥ３が大きいときは、比較器C６より０が出力され、選択器Ｓ６よりＤＥ４が選択されて、最小値選択器Ｍｉｎ６よりＤＥ４が出力される。このようにして、最小値選択器Ｍｉｎ６からは、ＤＥ３とＤＥ４で小さい方が選択されて出力される。
【００２４】
乗算器Ｍ６には、さらに、上限制御手段（上下限クリップ回路Ｓ２）と界磁電流遮断手段（比較器Ｃ５）の出力が入力される。乗算器Ｍ６では、入力された３入力が乗算され、その出力が最小値選択器Ｍｉｎ７に入力される。最小値選択器Ｍｉｎ７にはさらに、発電指令入力手段（除算器Ｄ１）の出力が入力される。最小値選択器Ｍｉｎ７では、２つの入力の中で、小さい方の出力が選択され、駆動回路２１に出力され、駆動回路２１のオンデューティ出力により、スイッチング素子１１がオン・オフ制御される。したがって、界磁コイル２に選択された出力による界磁電流を流すことができる。なお、最小値選択器Ｍｉｎ７は、最小値選択器Ｍｉｎ６の構成（図８）と同様に構成できる。
【００２５】
なお、図２で説明した車両用交流発電機の制御装置のブロック構成をソフトウエアで構成することも可能である。また、車両用交流発電機の制御装置を交流発電機装置に内蔵することで、ＥＣＵからの発電指令が断線などの不具合により正常な発電指令を受けることができなくなったとしても、上限制限手段、過電圧抑制手段、過熱防止手段、界磁電流遮断手段により、界磁電流の上限も制限でき、過励磁、過電圧、過熱、損失低減などの不具合から発電機を保護することができる。
【符号の説明】
【００２６】
１  電機子コイル                        ２  界磁コイル
３  整流器                              ４  電気二重層コンデンサ
５  ブラシ                              ６  電圧変換器
７  電気負荷                            ８  バッテリ
９  車両用交流発電機の制御装置          １０  車両用交流発電機装置
１１  スイッチング素子                  １２  還流ダイオード
１４  抵抗                              １５  抵抗
２０  総合選択器                        ２１  駆動回路
【図１】
2011229332.tif 000003
【図２】
2011229332.tif 000004
【図３】
2011229332.tif 000005
【図４】
2011229332.tif 000006
【図５】
2011229332.tif 000007
【図６】
2011229332.tif 000008
【図７】
2011229332.tif 000009
【図８】
2011229332.tif 000010